(57)【要約】【課題】保持器を両抱き式として、玉に対する保持剛性を高くし高速回転時の遠心力によって変形されにくい構造とすると共に、ポケット内に対する潤滑油の流れを円滑化し、これによって潤滑油の攪拌抵抗を低減してトルク損失を良好に抑制することができる玉軸受用保持器を提供する。【解決手段】第１、第２の環状体２１、２２と、これら環状体２１、２２を連結すると共に、玉１８を収納する複数のポケット２５を区画形成する複数の柱体２６とを備える。複数の柱体２６において軸方向に分割され、これら各柱分割部において結合される第１、第２の両分割体３０、３５によって分割構成される。第１、第２の環状体２１、２２の外径側で柱体２６に対応する部分には潤滑油の排出溝４０が凹設される。柱体２６の外径側部分には、ポケット２５から流出された潤滑油を排出溝４０に導く誘導凹部５０が凹設されている。【選択図】図１
2009236163.tif 000002
【特許請求の範囲】
【請求項１】
内輪と外輪との間の環状空間に配置され、前記内輪と前記外輪との間に複数の玉を転動可能に保持するための玉軸受用保持器であって、
軸方向両端部に配置された第１、第２の環状体と、これら第１、第２の環状体を連結すると共に、前記玉を収納する複数のポケットを区画形成する複数の柱体とを備え、
前記複数の柱体において軸方向に分割され、これら各柱分割部において結合される第１、第２の両分割体によって分割構成され、
前記第１、第２の環状体の外径側で前記柱体に対応する部分には潤滑油の排出溝が凹設され、
前記柱体の外径側部分には、前記ポケットから流出された潤滑油を前記排出溝に導く誘導凹部が凹設されていることを特徴とする玉軸受用保持器。
【発明の詳細な説明】
【技術分野】
【０００１】
この発明は玉軸受用保持器に関する。
【背景技術】
【０００２】
従来、玉軸受に用いられる保持器において、冠型保持器とも呼ばれている片抱き式の保持器が知られている。
また、保持器において、軸方向両端部に配置された第１、第２の環状体と、これら第１、第２の環状体を連結すると共に玉を収納する複数のポケットを区画形成する複数の柱体とを備え、各柱体において軸方向に分割され、これら各柱分割部で相互に結合される第１、第２の分割体によって分割構成された両抱き式（分割式）の保持器が知られている（例えば特許文献１参照）。
【特許文献１】特開２００６−２９２０９７号公報
【発明の開示】
【発明が解決しようとする課題】
【０００３】
ところで、片抱き式の保持器は、玉に対する保持剛性が低く高速回転時の遠心力によって変形されやすい構造となり、高速回転用には適応できない場合がある。
すなわち、高速回転時の遠心力によって保持器が変形されると、保持器の変形部の一部が玉と不測に干渉し、回転抵抗を増大させたり、焼き付き等を発生させる懸念がある。
これに対し、両抱き式の保持器は、片抱き式の保持器と比べ、玉に対する保持剛性が高く高速回転時の遠心力によって変形されにくい構造となり、高速回転用に適する。
しかしながら、両抱き式の保持器は、ポケット内に潤滑油が滞留しやすく、保持器による潤滑油の攪拌抵抗が大きくなり、トルク損失をまねく恐れがある。
この発明の目的は、前記問題点に鑑み、保持器を両抱き式として、玉に対する保持剛性を高くし高速回転時の遠心力によって変形されにくい構造とすると共に、ポケット内に対する潤滑油の流れを円滑化し、これによって潤滑油の攪拌抵抗を低減してトルク損失を良好に抑制することができる玉軸受用保持器を提供することである。
【課題を解決するための手段】
【０００４】
前記課題を解決するために、この発明の請求項１に係る玉軸受用保持器は、内輪と外輪との間の環状空間に配置され、前記内輪と前記外輪との間に複数の玉を転動可能に保持するための玉軸受用保持器であって、
軸方向両端部に配置された第１、第２の環状体と、これら第１、第２の環状体を連結すると共に、前記玉を収納する複数のポケットを区画形成する複数の柱体とを備え、
前記複数の柱体において軸方向に分割され、これら各柱分割部において結合される第１、第２の両分割体によって分割構成され、
前記第１、第２の環状体の外径側で前記柱体に対応する部分には潤滑油の排出溝が凹設され、
前記柱体の外径側部分には、前記ポケットから流出された潤滑油を前記排出溝に導く誘導凹部が凹設されていることを特徴とする。
【０００５】
前記構成によると、複数の柱体で軸方向に分割された第１、第２の分割体によって両抱き式の保持器とすることで、片抱き式の保持器と比べ、玉に対する保持剛性を高くすることができ、高速回転用に適する。
また、軸受回転時において、保持器の内径側からポケットに流入した潤滑油は、遠心力の作用によって外径側へ流れて柱体の誘導凹部に流入する。そして、潤滑油は誘導凹部に沿って流れ、第１又は第２の環状体の排出溝より円滑に排出される。
前記したようにして、ポケット内に流入した潤滑油が柱体の誘導凹部を経て第１又は第２の環状体の排出溝より円滑に排出されるため、潤滑油の攪拌抵抗を低減してトルク損失を良好に抑制することができる。
【発明を実施するための最良の形態】
【０００６】
この発明を実施するための最良の形態について実施例にしたがって説明する。
【０００７】
〔実施例１〕
この発明の実施例１を図１〜図４にしたがって説明する。
図１はこの発明の実施例１に係る玉軸受用保持器を示す斜視図である。図２は玉軸受の内輪と外輪との間に保持器が配設された状態を示す正面図である。図３は図２のＩＩＩ−ＩＩＩ線に基づく縦断面図である。図４は図２のＩＶ−ＩＶ線に基づく縦断面図である。
【０００８】
図２と図３に示すように、この実施例１に係る玉軸受用保持器（以下単に保持器という）２０は、内輪１２の外径面に形成された軌道面１３と、外輪１５の内径面に形成された軌道面１６との間の環状空間に配設されて複数の玉１８を転動可能に保持する。
【０００９】
図１に示すように、保持器２０は、軸方向両端部に配置された第１、第２の環状体２１、２２と、これら第１、第２の環状体２１、２２を連結すると共に複数の玉１８を周方向に所定間隔を隔てて転動可能に収納する複数のポケット２５を区画形成するための複数の柱体２６とを備えている。
また、保持器２０は、複数の柱体２６において軸方向に分割され、これら分割部において結合される第１、第２の分割体３０、３５によって分割構成されている。
すなわち、第１、第２の分割体３０、３５の各柱体２６の分割部分には、弾性的に係合する係合部３１、３６が形成され、これら係合部３１、３６の係合力によって第１、第２の分割体３０、３５が一体状に結合されることで保持器２０を構成している（図４参照）。なお、弾性的に係合する係合部３１、３６は、例えば、特許文献１（特開２００６−２９２０９７号公報）に開示された構造ものを採用してもよい。
また、第１、第２の分割体３０、３５は、共に耐摩耗性及び耐熱性を有する合成樹脂材の射出成形によって形成されている。
【００１０】
図１〜図３に示すように、保持器２０の第１、第２の環状体２１、２２の外径側で各柱体２６に対応する部分には潤滑油の排出溝４０が凹設されている。
この実施例１において、排出溝４０は、柱体２６の周方向中央部に対応する部分が深く、柱体２６の周方向両側に対応する部分に向かうにしたがって浅くなった凹湾曲状、凹円弧状等に形成されている。
また、図４に示すように、各柱体２６の外径側部分には、ポケット２５から流出された潤滑油を排出溝４０に導く誘導凹部５０が凹設されている。
この実施例１において、誘導凹部５０は、柱体２６の軸方向中央部が深く、両端の第１、第２の環状体２１、２２に向かうにしたがって浅くなった凹湾曲状、凹円弧状等に形成されている。
【００１１】
上述したように構成されるこの実施例１に係る玉軸受用保持器において、第１、第２の分割体３０、３５によって分割構成された両抱き式の保持器２０とすることで、片抱き式の保持器と比べ、玉１８に対する保持剛性を高くすることができ、高速回転用に適する。
また、軸受け回転時において、保持器２５の内径側からポケット２５内に流入した潤滑油は遠心力の作用によって外径側へ向けて流れる。
そして、潤滑油は柱体２６の誘導凹部５０に沿って流れた後、第１又は第２の環状体２１、２２の排出溝４０より円滑に排出される。
前記したようにして、ポケット２５内に流入した潤滑油は柱体２６の誘導凹部５０を経て第１又は第２の環状体２１、２２の排出溝４０より円滑に排出されるため、潤滑油の攪拌抵抗を低減してトルク損失を良好に抑制することができる。
【００１２】
〔実施例２〕
この発明の実施例１を図５と図６にしたがって説明する。
図５はこの発明の実施例２に係る玉軸受用保持器を示す斜視図である。図６は玉軸受の内輪と外輪との間に保持器が配設された状態を示す縦断面図である。
図５と図６に示すように、この実施例２においても、実施例１と同様にして、軸方向両端部に配置された第１、第２の環状体１２１、１２２と、これら第１、第２の環状体１２１、１２２を連結すると共に複数の玉１１８を周方向に所定間隔を隔てて転動可能に収納する複数のポケット１２５を区画形成するための複数の柱体１２６とを備えている。
また、保持器１２０を分割構成する第１、第２の分割体１３０、１３５は、その各柱体１２６の分割部分に形成された係合部１３１、１３６の係合力によって一体状に結合される。
また、保持器１２０の第１、第２の環状体１２１、１２２の外径側で各柱体１２６に対応する部分には、実施例１と同様にして潤滑油の排出溝１４０が凹設されている。
特に、この実施例２において、保持器１２０の各柱体１２６の外径側部分は、その軸方向のほぼ全長にわたって第１、第２の環状体１２１、１２２の外径寸法よりも小さく形成され、これによって各柱体１２６の外径側部分に誘導凹部１５０が形成されている。
この実施例２のその他の構成は、実施例１と同様にして構成されるため、同一構成部分に対し同一符号を付記してその説明は省略する。
したがって、この実施例２においても実施例１と同様の作用効果を奏する。
【００１３】
なお、この発明は前記実施例１及び２に限定するものではなく、この発明の要旨を逸脱しない範囲内において、種々なる形態で実施することもできる。
例えば、保持器２０（１２０）の各柱体２６（１２６）の外径側部分に形成される誘導凹部５０（１５０）の形状は、ポケット２５（１２５）内に流入した潤滑油を第１又は第２の環状体２１、２２（１２１、１２２）の排出溝４０（１４０）に誘導できる形状であればどのような形状であってもよい。
また、排出溝４０（１４０）においても、潤滑油を排出できる形状であればどのような形状であってもよい。
【図面の簡単な説明】
【００１４】
【図１】この発明の実施例１に係る玉軸受用保持器を示す斜視図である。
【図２】同じく玉軸受の内輪と外輪との間に保持器が配設された状態を示す正面図である。
【図３】同じく図２のＩＩＩ−ＩＩＩ線に基づく縦断面図である。
【図４】同じく図２のＩＶ−ＩＶ線に基づく縦断面図である。
【図５】この発明の実施例２に係る玉軸受用保持器を示す斜視図である。
【図６】同じく玉軸受の内輪と外輪との間に保持器が配設された状態を示す縦断面図である。
【符号の説明】
【００１５】
１２  内輪
１５  外輪
１８  玉
２０、１２０  保持器
２１、１２１  第１の環状体
２２、１２２  第２の環状体
２５、１２５  ポケット
２６、１２６  柱体
３０、１３０  第１の分割体
３５、１３５  第２の分割体
４０、１４０  排出溝
５０、１５０  誘導凹部
【図１】
2009236163.tif 000003
【図２】
2009236163.tif 000004
【図３】
2009236163.tif 000005
【図４】
2009236163.tif 000006
【図５】
2009236163.tif 000007
【図６】
2009236163.tif 000008